【手続補正書】
【提出日】平成18年1月12日(2006.1.12)
【手続補正１】
【補正対象書類名】明細書
【補正対象項目名】発明の名称
【補正方法】変更
【補正の内容】
【発明の名称】インクジェット記録装置及び画像形成装置
【手続補正２】
【補正対象書類名】明細書
【補正対象項目名】特許請求の範囲
【補正方法】変更
【補正の内容】
【特許請求の範囲】
【請求項１】
インク滴を吐出するノズルと、このノズルが連通するインク流路と、このインク流路の一部の壁面を形成する振動板と、この振動板に対向する電極とを有するインクジェットヘッドを搭載したインクジェット記録装置において、インク滴を吐出させる第１駆動波形とインク滴を吐出させずにメニスカスを振動させる第２駆動波形とを時系列で生成出力する手段と、印字信号に応じて前記第１駆動波形を選択し、前記印字信号とは独立したメニスカス振動選択信号に応じて前記第２駆動波形を選択して複数の前記電極に同時に印加させる手段とを備えたことを特徴とするインクジェット記録装置。
【請求項２】
インク滴を吐出するノズルと、このノズルが連通するインク流路と、このインク流路の一部の壁面を形成する振動板と、この振動板に対向する電極とを有するインクジェットヘッドを搭載したインクジェット記録装置において、インク滴を吐出させる第１駆動波形とインク滴を吐出させずにメニスカスを振動させる第２駆動波形とを時系列で生成出力する手段と、印字信号に応じて前記第１駆動波形を選択し、前記印字信号とメニスカス振動選択信号に応じて前記第２駆動波形を選択して非印字の複数の前記電極に同時に印加させる手段とを備えたことを特徴とするインクジェット記録装置。
【請求項３】
請求項１又は２に記載のインクジェット記録装置において、温度及び／又は湿度の検出結果に基づいて前記メニスカス振動選択信号による前記第２駆動波形の選択頻度を変更することを特徴とするインクジェット記録装置。
【請求項４】
請求項１乃至３のいずれかに記載のインクジェット記録装置において、前記第１駆動波形は複数のパルスからなり、印字信号に応じてパルス数を選択する手段を備えていることを特徴とするインクジェット記録装置。
【請求項５】
インク滴を吐出するノズルと、このノズルが連通するインク流路と、このインク流路の一部の壁面を形成する振動板と、この振動板に対向する電極とを有するインクジェットヘッドを搭載した画像形成装置において、インク滴を吐出させる第１駆動波形とインク滴を吐出させずにメニスカスを振動させる第２駆動波形とを時系列で生成出力する手段と、印字信号に応じて前記第１駆動波形を選択し、前記印字信号とは独立したメニスカス振動選択信号に応じて前記第２駆動波形を選択して複数の前記電極に同時に印加させる手段とを備えたことを特徴とする画像形成装置。
【請求項６】
インク滴を吐出するノズルと、このノズルが連通するインク流路と、このインク流路の一部の壁面を形成する振動板と、この振動板に対向する電極とを有するインクジェットヘッドを搭載した画像形成装置において、インク滴を吐出させる第１駆動波形とインク滴を吐出させずにメニスカスを振動させる第２駆動波形とを時系列で生成出力する手段と、印字信号に応じて前記第１駆動波形を選択し、前記印字信号とメニスカス振動選択信号に応じて前記第２駆動波形を選択して非印字の複数の前記電極に同時に印加させる手段とを備えたことを特徴とする画像形成装置。
【手続補正３】
【補正対象書類名】明細書
【補正対象項目名】０００１
【補正方法】変更
【補正の内容】
【０００１】
【産業上の利用分野】
本発明はインクジェット記録装置及び画像形成装置に関する。
【手続補正４】
【補正対象書類名】明細書
【補正対象項目名】０００９
【補正方法】変更
【補正の内容】
【０００９】
本発明は上記の課題に鑑みてなされたものであり、単純な構成で、振動板の耐久性を確保しながら、インクメニスカスを振動させてノズルの目詰まりを防止するインクジェット記録装置及び画像形成装置を提供することを目的とする。
【手続補正５】
【補正対象書類名】明細書
【補正対象項目名】００１０
【補正方法】変更
【補正の内容】
【００１０】
【課題を解決するための手段】
上記の課題を解決するため、本発明に係るインクジェット記録装置及び画像形成装置は、インク滴を吐出させる第１駆動波形とインク滴を吐出させずにメニスカスを振動させる第２駆動波形とを時系列で生成出力する手段と、印字信号に応じて第１駆動波形を選択し、印字信号とは独立したメニスカス振動選択信号に応じて第２駆動波形を選択して複数の電極に同時に印加させる手段とを備えたものである。
【手続補正６】
【補正対象書類名】明細書
【補正対象項目名】００１１
【補正方法】変更
【補正の内容】
【００１１】
本発明に係るインクジェット記録装置及び画像形成装置は、インク滴を吐出させる第１駆動波形とインク滴を吐出させずにメニスカスを振動させる第２駆動波形とを時系列で生成出力する手段と、印字信号に応じて第１駆動波形を選択し、印字信号とメニスカス振動選択信号に応じて第２駆動波形を選択して非印字の複数の電極に同時に印加させる手段とを備えたものである。
【手続補正７】
【補正対象書類名】明細書
【補正対象項目名】００９５
【補正方法】変更
【補正の内容】
【００９５】
また、本発明で駆動制御するインクジェットヘッドのノズル、加圧室、流体抵抗部、共通流路液室の形状、配置、形成方法は適切に変更することができる。例えば、上記実施形態においては、ノズルは振動板の変位方向にインク滴が吐出するように形成したサイドシュータ方式のインクジェットヘッドであるが、ノズルを振動板の変位方向と交差する方向にインク滴が吐出するように形成したエッジシュータ方式のインクジェットヘッドでもよい。また、前述したようにプリンタ、ファクシミリ、プロッタ等の画像形成装置及び液滴を吐出する装置にも本発明を適用することができる。
【手続補正８】
【補正対象書類名】明細書
【補正対象項目名】００９６
【補正方法】変更
【補正の内容】
【００９６】
【発明の効果】
以上説明したように、本発明に係るインクジェット記録装置及び画像形成装置によれば、インク滴を吐出させる第１駆動波形とインク滴を吐出させずにメニスカスを振動させる第２駆動波形とを時系列で生成出力する手段と、印字信号に応じて第１駆動波形を選択し、印字信号とは独立したメニスカス振動選択信号に応じて第２駆動波形を選択して複数の電極に同時に印加させる手段とを備えたので、振動板の耐久性を損うことなく、インク増粘によるインク滴吐出特性の変動を抑え高品質の画像を得ると共に、メニスカス振動の選択を印字信号で行わないので、低コスト化が実現できる。更に、第１駆動波形を複数のパルスにし、パルス数を選択して多値化する場合、メニスカス振動を階調の1段階としなくて良いので階調性が維持できる。
【手続補正９】
【補正対象書類名】明細書
【補正対象項目名】０１２６
【補正方法】変更
【補正の内容】
【０１２６】
本発明に係るインクジェット記録装置及び画像形成装置によれば、インク滴を吐出させる第１駆動波形とインク滴を吐出させずにメニスカスを振動させる第２駆動波形とを時系列で生成出力する手段と、印字信号に応じて第１駆動波形を選択し、印字信号とメニスカス振動選択信号に応じて第２駆動波形を選択して非印字の複数の電極に同時に印加させる手段とを備えたので、振動板の耐久性を確保しつつ、インク増粘によるインク滴吐出特性の変動を抑え高品質の画像を得ると共に、メニスカス振動の選択を印字信号で行わないので、低コスト化が実現できる。更にまた、第１駆動波形を複数のパルスにし、パルス数を選択して多値化する場合、メニスカス振動を階調の1段階としなくて良いので階調性が維持できる。